(57)【要約】  【課題】  職人の技術に頼ることなく、簡便な方法にて建造することが可能な建造物及び集合建造物を提供する。  【解決手段】  ボックスカルバート８の天板部１の上面に断熱部材１３と、左上ハンチ部４又は右上ハンチ部５に配線モール１４を備え、左右の側壁部３の外面に遮熱塗装を施す。【選択図】      図２
2020159073.tif 000002
【特許請求の範囲】
【請求項１】
天板部（１）、底板部（２）及び左右の側壁部（３）を備え、内側の上部左右の隅にそれぞれ左上ハンチ部（４）及び右上ハンチ部（５）が設けられた筒状のボックスカルバート（８）と、
前記ボックスカルバート（８）の開口部を塞ぐ第１壁部材（９）及び第２壁部材（１０）と、
前記第１壁部材（９）に設けられたドア部（１１）と、
前記第２壁部材（１０）に設けられた窓部（１２）と、
前記天板部（１）の上面に設けられた断熱部材（１３）と、
前記左上ハンチ部（４）又は右上ハンチ部（５）に設けられた配線モール（１４）を備え、
前記左右の側壁部（３）の外面に遮熱塗装が施された建造物。
【請求項２】
天板部（１）、底板部（２）及び左右の側壁部（３）を備え、内側の上下左右の４隅にそれぞれ左上ハンチ部（４）、右上ハンチ部（５）、左下ハンチ部（６）及び右下ハンチ部（７）が設けられた筒状のボックスカルバート（８’）と、
前記ボックスカルバート（８’）の開口部を塞ぐ第１壁部材（９）及び第２壁部材（１０）と、
前記第１壁部材（９）に設けられたドア部（１１）と、
前記第２壁部材（１０）に設けられた窓部（１２）と、
前記左下ハンチ部（６）及び右下ハンチ部（７）の頂部の高さ位置に設けられた床部材（１５）を備える建造物。
【請求項３】
前記床部材（１５）に切欠部が形成されていることを特徴とする請求項２に記載の建造物。
【請求項４】
天板部（１）、底板部（２）及び左右の側壁部（３）を備え、内側の上部左右の隅にそれぞれ左上ハンチ部（４）及び右上ハンチ部（５）が設けられた筒状のボックスカルバート（８）と、前記ボックスカルバート（８）の開口部を塞ぐ第１壁部材（９）及び第２壁部材（１０）と、前記第１壁部材（９）に設けられたドア部（１１）と、前記第２壁部材（１０）に設けられた窓部（１２）を備える建造物が、同一基礎（１６）上に複数個相互に間隙を設けて配置されている集合建造物。
【請求項５】
前記複数個の建造物は、それぞれ隣の建造物に対して前後方向にずれて配置されていることを特徴とする請求項４に記載の集合建造物。
【発明の詳細な説明】
【技術分野】
【０００１】
本発明は、ボックスカルバートを用いた建造物及び集合建造物に関する。
【背景技術】
【０００２】
従来より、戸建住宅等の建造物の建築にあたっては、熟練した職人の高度な技術が要求されることが多かった。また、ホテル等の宿泊施設やアパート等の集合住宅等の建造については、大掛かりで複雑な工事が必要とされている。
【０００３】
しかしながら、こうした高度な技術を有する職人の数は減少傾向にあり、今後益々減少することが予測され、職人の技術に頼らない工法が望まれている。また、ホテル等の宿泊施設やアパート等の集合住宅といった集合建造物についても簡易な方法による建造が望まれている。
【０００４】
そこで、通常、地中に埋設されて道路や水路等として用いられているボックスカルバートを住宅等の建造物に転用する試みがなされている（例えば、特許文献１）。ボックスカルバートは、職人の技術に頼らずに製造することが可能で、しかも居住用等建造物の躯体として利用した場合でも強度や耐久性という観点でも問題がない。
【０００５】
特許文献１は、プレハブハウスのモジュラーコーディネーションにおいて、複数個のボックスカルバート間に壁、床および天井の建築要素となる介在部材を配設し結合して室空間モジュールを形成したことを特徴とするプレハブハウスを開示している。
【０００６】
しかし、特許文献１は、ボックスカルバートを仮設住宅等に用いるものではあるが、複数個のボックスカルバートと介在部材との配設結合について開示するものであり、用いたボックスカルバートの内部空間の状態や内部空間の環境を改善する技術を開示するものではない。
【先行技術文献】
【特許文献】
【０００７】
【特許文献１】特開平９−３２３２５号公報
【発明の概要】
【発明が解決しようとする課題】
【０００８】
本発明は、職人の技術に頼ることなく、簡便な方法にて建造することが可能な建造物及び集合建造物を提供することを目的とし、さらには、ボックスカルバートを用いて建造物を構成したとしても、その内部空間の環境が改善され、また床面積をより有効利用することが可能な建造物及び集合建造物を提供することを目的とする。
【課題を解決するための手段】
【０００９】
本発明の第１の態様の建造物は、天板部（１）、底板部（２）及び左右の側壁部（３）を備え、内側の上部左右の隅にそれぞれ左上ハンチ部（４）及び右上ハンチ部（５）が設けられた筒状のボックスカルバート（８）と、前記ボックスカルバート（８）の開口部を塞ぐ第１壁部材（９）及び第２壁部材（１０）と、前記第１壁部材（９）に設けられたドア部（１１）と、前記第２壁部材（１０）に設けられた窓部（１２）と、前記天板部（１）の上面に設けられた断熱部材（１３）と、前記左上ハンチ部（４）又は右上ハンチ部（５）に設けられた配線モール（１４）を備え、前記左右の側壁部（３）の外面に遮熱塗装が施されていることを特徴とする。
【００１０】
本発明の第２の態様の建造物は、天板部（１）、底板部（２）及び左右の側壁部（３）を備え、内側の上下左右の４隅にそれぞれ左上ハンチ部（４）、右上ハンチ部（５）、左下ハンチ部（６）及び右下ハンチ部（７）が設けられた筒状のボックスカルバート（８’）と、前記ボックスカルバート（８’）の開口部を塞ぐ第１壁部材（９）及び第２壁部材（１０）と、前記第１壁部材（９）に設けられたドア部（１１）と、前記第２壁部材（１０）に設けられた窓部（１２）と、前記左下ハンチ部（６）及び右下ハンチ部（７）の頂部の高さ位置に設けられた床部材（１５）を備えていることを特徴とする。
【００１１】
本発明の第３の態様の建造物は、前記床部材（１５）に切欠部が形成されていることを特徴とする。
【００１２】
本発明の第４の態様の集合建造物は、天板部（１）、底板部（２）及び左右の側壁部（３）を備え、内側の上部左右の隅にそれぞれ左上ハンチ部（４）及び右上ハンチ部（５）が設けられた筒状のボックスカルバート（８）と、前記ボックスカルバート（８）の開口部を塞ぐ第１壁部材（９）及び第２壁部材（１０）と、前記第１壁部材（９）に設けられたドア部（１１）と、前記第２壁部材（１０）に設けられた窓部（１２）を備える建造物が、同一基礎（１６）上に複数個相互に間隙を設けて配置されていることを特徴とする。
【００１３】
本発明の第５の態様の集合建造物は、前記複数個の建造物は、それぞれ隣の建造物に対して前後方向にずれて配置されていることを特徴とする。
【発明の効果】
【００１４】
本発明の第１の態様によれば、建造物の躯体にボックスカルバートを用いたことから、建造物の躯体を簡易に、職人の技術に頼ることなく製造することが可能となる。また、天板部上面に断熱部材を設け、側壁部の外面に遮熱塗装を施したことから、熱がこもりがちなボックスカルバートを用いた建造物内の温度の上昇を適度に抑制することが可能となる。さらに、左上ハンチ部又は右上ハンチ部に配線モールを設けたことから、電気等の配線を人目につきにくい場所にて行うことができる。
【００１５】
本発明の第２の態様によれば、内側の上部のみならず下部左右にもハンチ部が形成されているボックスカルバートを用いる場合でも、ボックスカルバートの下部に設けられた左右のハンチ部の上に床部材を設けたことから、下部ハンチ部による有効利用可能な床面積の減少を防止しボックスカルバート内の床面積を有効に確保することが可能となる。
【００１６】
本発明の第３の態様によれば、床部材に切欠部を形成したことから、建造物内の電気、ガス及び水道等の各種の線及び管等を床部材の下に配置することが可能となり、建造物内の美観を向上させることができる。
【００１７】
本発明の第４の態様によれば、建造物を複数個相互に間隙を設けて配置させたことから、アパートやホテル等の集合建造物を容易に建造することが可能になるとともに、各建造物間での防音効果が向上する。
【００１８】
本発明の第５の態様によれば、配置した複数個の建造物を、それぞれ隣の建造物に対して前後方向にずらして配置したことから、集合建造物を特徴的な外観を呈するようにすることが可能となる。
【図面の簡単な説明】
【００１９】
【図１】本発明の建造物の一例を示す透視的正面図である。
【図２】本発明の建造物の一例を示す透視的平面図である。
【図３】本発明の床部材を設けたボックスカルバートの一例を示す正面図である。
【図４】本発明の集合建造物の一例を示す平面図である。
【図５】本発明の集合建造物の好ましい態様の一例を示す平面図である。
【図６】本発明の集合建造物の好ましい態様の別の一例を示す平面図である。
【発明を実施するための形態】
【００２０】
以下、図面を参照しながら本発明を実施するための形態について説明する。
図１は、本発明の建造物の透視的正面図である。ボックスカルバート８は、典型的には、コンクリートと鉄筋等で構成され、略四角柱の筒状である。本発明では、ボックスカルバート８は、天板部１、底板部２及び左右の側壁部３で構成されている。ボックスカルバート８の上部左右の内側２隅には、左上ハンチ部４及び右上ハンチ部５が形成されている。ハンチは、ボックスカルバートの強度を増す等の理由で、ボックスカルバートの内側の上部左右の角に、ボックスカルバートの他の部位よりも厚みを増すように設けられる部位である。ハンチは、後述するように、ボックスカルバートの内側上部左右に加えて、下部の左右にも設けることができる。
【００２１】
ボックスカルバート８の天板部１の上面には、断熱部材１３が設けられている。断熱部材１３としては、例えば、好ましくはスタイロフォームを用いることができるが、これに限定されるものではない。ボックスカルバートを用いた建造物は、一般的に建造物内に熱がこもり易いため、温度が上昇しがちであるが、天板部１上面に断熱部材１３を設けることにより、建造物内の温度の上昇を有効に抑制することが可能となる。
【００２２】
ボックスカルバート８の左上ハンチ部４又は右上ハンチ部５には配線モール１４が設けられている。配線モール１４は、左上ハンチ部４と右上ハンチ部５のいずれか一方に設けることもできるし、左上ハンチ部４と右上ハンチ部５の両方に設けることもできる。このように、上部ハンチ部に配線モールを設け、当該配線モール内に電線等を配線することにより、配線モール及び電線等が人目につきにくくなるため、建造物内部の美観を向上させることができる。
【００２３】
ボックスカルバート８の左右の側壁部３の外面には遮熱塗装が施されている。遮熱塗装は、例えば、太陽光を反射する機能を有する塗料を側壁部３の外面に塗布すること等により行うことができる。これにより、断熱部材１３の効果と相俟って、より一層建造物内の温度上昇を有効に抑制することが可能となる。
【００２４】
図２は、本発明の建造物の透視的平面図の一例である。側壁部３と接合して、ボックスカルバート８の一方の開口部を塞ぐ第１壁部材９とボックスカルバート８の他方の開口部を塞ぐ第２壁部材１０が設けられている。第１壁部材９と第２壁部材１０は、例えば、コンクリート製である。第１壁部材９及び第２壁部材１０と側壁部３との接合は、例えば、ボルトや接着剤等により行うことができる。第１壁部材９にはドア部１１が設けられ、第２壁部材１０には窓部１２が設けられている。点線で示されるのはベッド、机及び椅子であり、本発明の建造物を居住用建造物として用いた例を示している。なお、本発明の建造物は、居住用に限定されず、一時的な宿泊用、事務所用、店舗用等の建造物としても利用することができる。
【００２５】
図３は、本発明の別の態様で用いられるボックスカルバート８’の正面図である。ボックスカルバート８’の上下左右の内側４隅には、左上ハンチ部４、右上ハンチ部５、左下ハンチ部６及び右下ハンチ部７が形成されている。
【００２６】
下部にもハンチが設けられているボックスカルバート８’を用いる場合にも、ボックスカルバート８’の開口部を塞ぐ第１壁部材９及び第２壁部材１０と、第１壁部材９に設けられたドア部１１と、第２壁部材１０に設けられた窓部１２を設けることができる。
【００２７】
図３のボックスカルバート８’には、床部材１５が設けられている。床部材１５は、左下ハンチ部６と右下ハンチ部７の頂部の高さ位置に設けられている。ボックスカルバートにおいて、ハンチはボックスカルバートの強度を増す等の理由で設けられるものであるが、特に、下側に形成されたハンチは、ボックスカルバートを居住用等の建造物として利用する場合、有効利用できる床面積を減少させてしまうが、床部材１５を設けることにより、ハンチによる利用可能な床面積の減少を防止することができる。床部材１５の下側には、図示しない支持部材を設けることができる。支持部材は、床部材１５の下面と底板部２の上面の間の高さと同じ高さ寸法に形成される。
【００２８】
本発明の好ましい態様では、床部材１５に図示しない切欠部が設けられる。切欠部の形状、大きさ及び位置は、特に限定されるものではなく、建造物において利用される電気、ガス、水道等各種の線や管を通すことができるように形成される。切欠部を設けることにより、各種の線や管を床部材１５、左下ハンチ部６、右下ハンチ部７及び底板部２で形成された空間に配線及び配管することが可能となり、建造物内部の美観を向上させることができる。
【００２９】
床部材１５と同様に、左上ハンチ部４及び右上ハンチ部５の最下部の位置に天井部材を設けることもできる。
【００３０】
図４は、本発明の集合建造物の一例を示す平面図である。本発明の集合建造物の各建造物は、天板部１、底板部２及び左右の側壁部３を備え、内側の上部左右の隅にそれぞれ左上ハンチ部４及び右上ハンチ部５が設けられた筒状のボックスカルバート８と、ボックスカルバート８の開口部を塞ぐ第１壁部材９及び第２壁部材１０と、第１壁部材９に設けられたドア部１１と、第２壁部材１０に設けられた窓部１２を備えている。
【００３１】
本発明の集合建造物を構成する各建造物も好ましくは、天板部１の上面に断熱部材１３が設けられ、左上ハンチ部４又は右上ハンチ部５に配線モール１４が設けられ、左右の側壁部３の外面に遮熱塗装が施されることができる。
【００３２】
本発明の集合建造物は、複数の建造物が同一の基礎１６の上に相互に間隙を設けて配置されている。図４では、本発明の建造物が３個配置されているが、配置する建造物の数は３個に限られるものではない。複数の建造物は、例えば、エキスパンションジョイント等により連結させることができる。なお、本発明において集合建造物は、建造物が複数個配置されたもので、例えば、ホテルやアパート等が該当するが、その他、店舗用、事務所用等の建造物が複数個配置されたものを含み、用途の異なる建造物を複数個組み合わせたものをも含む意味である。
【００３３】
本発明の集合建造物は、上述の通り、複数の建造物が同一基礎１６の上に配置されていることから、１つの建造物として取り扱われることができる。また、複数の建造物が相互に間隙を設けて配置されることから、各建造物間での防音効果も向上し、さらに、耐震性にも優れる。複数の建造物間に設けられる間隙は、例えば、好ましくは０．５〜３ｃｍ、より好ましくは０．７〜１．５ｃｍに設定される。
【００３４】
基礎１６は、図１及び図４に示すように、地中に埋設されたベースコンクリート１７と、地上にてベースコンクリート１７上で少なくともボックスカルバート８（８‘）の底板部２の下面と接合するように設けられた土間コンクリート１８で構成することができる。
【００３５】
本発明の集合建造物は、図５に示すように、好ましくは、複数個の建造物がそれぞれ隣の建造物に対して前後方向にずれて配置される。図５では、中央の建造物は、右端の建造物に対して後退して配置され、左端の建造物は中央の建造物に対して後退して配置されるように、右端の建造物から順次、後方向にずれて配置されている。集合建造物における建造物のずれは、図５の例に限定されるものではなく、例えば、左端の建造物を中央の建造物に対して前方向にずらして配置させることもできる。
【００３６】
上述のように、各建造物がずらして配置される場合、好ましい態様において行われる側壁部３の外面への遮熱塗装は、隣の建造物の側壁部３と対向する部分には行わず、ずれている部分にのみ行うことが望ましい。
【００３７】
複数個の建造物からなる集合建造物において、建造物を隣の建造物に対して前後方向にずらして配置する場合、隣の建造物の側壁部３と対向する部分の幅方向の長さが側壁部３の幅方向の全長に対して６０〜８０％となるように配置することがより望ましく、６５〜７５％となるように配置することがより一層望ましい。
【００３８】
図６は、本発明の集合建造物の別の例を示す平面図である。図６は、上段に２０個の建造物を右端から順次、後方向にずらして配置させた集合建造物が設けられ、間に通路を設けて、下段に２２個の建造物を右端から順次、後方向にずらして配置させた集合建造物を設けてなる宿泊施設の例を示している。なお、図６では、集合建造物を構成する各建造物が、縮尺上の都合上、それぞれ接合しているように見えるが、実際には上述したように各建造物間に間隙が存在している。
【符号の説明】
【００３９】
１    天板部
２    底板部
３    側壁部
４    左上ハンチ部
５    右上ハンチ部
６    左下ハンチ部
７    右下ハンチ部
８    ボックスカルバート
９    第１壁部材
１０  第２壁部材
１１  ドア部
１２  窓部
１３  断熱部材
１４  配線モール
１５  床部材
１６  基礎
１７  ベースコンクリート
１８  土間コンクリート
【図１】
2020159073.tif 000003
【図２】
2020159073.tif 000004
【図３】
2020159073.tif 000005
【図４】
2020159073.tif 000006
【図５】
2020159073.tif 000007
【図６】
2020159073.tif 000008